(57)【要約】【課題】害虫を捕獲する必要のある、例えば、ハウス・温室等において、害虫の捕獲性能（捕獲性）及び使い勝手に優れるとともに、害虫を広範囲から呼び寄せてしまうこともない害虫捕獲用部材を提供する。【解決手段】基材シート１と、基材シート１上に配設された誘引色層２と、誘引色層２の表面の少なくとも一部を被覆するように配設された紫外線反射層３ａ及び／又は紫外線吸収層３ｂと、誘引色層２並びに紫外線反射層３ａ及び／又は紫外線吸収層３ｂの外部側の表面の少なくとも一部を被覆するように配設された透明粘着剤層４とから構成する。【選択図】図１
2007300890.tif 000002
【特許請求の範囲】
【請求項１】
保持手段と、前記保持手段上に配設された誘引手段と捕獲手段とを備え、前記誘引手段で誘引した害虫を前記捕獲手段で捕獲する害虫捕獲用部材であって、
前記誘引手段が、前記保持手段上に配設された前記害虫に固有の誘引色を有する誘引色層、並びに前記誘引色層の表面の少なくとも一部を被覆するように配設された紫外線反射層及び／又は紫外線吸収層から構成されてなることを特徴とする害虫捕獲用部材。
【請求項２】
前記保持手段が、基材シートである請求項１に記載の害虫捕獲用部材。
【請求項３】
前記基材シートが、長尺の巻物状である請求項２に記載の害虫捕獲用部材。
【請求項４】
前記捕獲手段が、前記誘引手段の外部側の表面の少なくとも一部を被覆するように配設された透明粘着剤層である請求項１〜３のいずれかに記載の害虫捕獲用部材。
【請求項５】
前記誘引手段を構成する前記紫外線反射層及び／又は紫外線吸収層の形状が、花弁形状である請求項１〜４のいずれかに記載の害虫捕獲用部材。
【請求項６】
前記誘引手段を構成する前記紫外線反射層及び／又は紫外線吸収層の形状が、アステリック形状である請求項５に記載の害虫捕獲用部材。
【請求項７】
前記誘引手段を構成する前記誘引色層が、黄色、青色又は桃色に着色されてなる請求項１〜６に記載の害虫捕獲用部材。
【請求項８】
前記誘引手段を構成する前記紫外線反射層が、酸化亜鉛、酸化カルシウム、酸化チタン、酸化鉛、蛍光顔料及びアルミニウム粉体からなる群から選ばれる少なくとも一種を含有してなる請求項１〜７に記載の害虫捕獲用部材。
【請求項９】
前記誘引手段を構成する前記紫外線吸収層が、サルチル酸系、ベンゾフエノン系及びベンゾトリアゾ−ル系からなる群から選ばれる少なくとも一種の紫外線吸収剤を含有してなる請求項１〜７に記載の害虫捕獲用部材。
【請求項１０】
前記保持手段を構成する前記基材シートが、ポリエステル、ポエチレン、ポリスチロ−ル及びポリウレタンからなる群から選ばれる少なくとも一種の合成樹脂、合成紙、紙、金属箔、又は不織布から構成されてなる請求項２〜９に記載の害虫捕獲用部材。
【請求項１１】
前記捕獲手段を構成する前記透明粘着剤層が、アクリル系、ゴム系及びシリコン系からなる群から選ばれる少なくとも一種の粘着剤を含有してなる請求項４〜１０に記載の害虫捕獲用部材。
【発明の詳細な説明】
【技術分野】
【０００１】
本発明は、害虫（有害な昆虫）捕獲用部材に関する。さらに詳しくは、害虫（例えば、トマト、ナス、メロン等に被害を与えるミナミキイロコナジラミ、オンシツコナジラミ、シルバーリーフコナジラミ等）を捕獲する必要のある、例えば、ハウス・温室等において、害虫の捕獲性能（捕獲性）及び使い勝手に優れるとともに、害虫を広範囲から呼び寄せてしまうこともない害虫捕獲用部材を提供するに関する。
【背景技術】
【０００２】
ハウス・温室等における害虫防除には、農薬や殺虫剤の使用が不可欠であるが、環境対策や市場からの要請によって、農薬や殺虫剤の使用を減らした所謂減農薬栽培が研究されている。一方、生物を害虫駆除に利用した所謂生物農薬の使用が普及し始めているが、コスト高にならざるを得ないことと、生態系の保全等の使用環境の慎重な検討が必要であることから、普及の拡大にはまだ時間を要するのが現状である。
【０００３】
害虫を捕獲するための害虫捕獲用部材として、害虫の誘引色（害虫を誘引する性質を有する色）である黄色、青色又は桃色を着色した粘着シ−トが広く使用されている。また、一部に、害虫の誘引剤やフェロモン剤を併用したものや、上述の粘着シ−トに紫外線ランプを組み合わせたものも普及している（特許文献１参照）。
【特許文献１】特開２００３−３０６４０１号公報
【発明の開示】
【発明が解決しようとする課題】
【０００４】
しかしながら、誘引色である黄色、青色又は桃色に着色した粘着シ−トの場合、使用時の天候や、着色における色相のバラツキ等に影響されて、害虫の捕獲性が左右されるという問題があった。また、実際にハウス・温室内で害虫を捕獲する場合、誘引色である黄色、青色又は桃色に着色した粘着シ−トを用いて、捕獲能力を高めるために粘着シ−トを、例えば、５０ｃｍ間隔に設置する必要があり、このように粘着シ−トの設置密度を高く設定せねばならないことに起因して、作業者に対して作業の煩雑さや粘着シ−トとの接触による不快感をもたらすとともに、植物に対しても粘着シ−トの貼着による不具合を発生させるという問題があった。また、最近、コンジラミ類やアザミウマ類が誘引色である黄色、青色又は桃色に慣れたことに起因して誘引色の誘引効果が減少したため、粘着シ−トを長期間設置しなればならないこととなり、粘着部にコミや砂埃が付着して粘着効果が失われ易くなるという問題があった。
【０００５】
また、特許文献１に記載された誘引剤を用いたものの場合、誘引剤として一般的な昆虫を対象にしているので、捕獲性の面で大きな効果を期待することができないとともに、このような誘引剤を用いたものの場合、誘引剤の揮散が激しく、使用可能な有効期間が短いという問題があった。また、その有効範囲は誘引剤が揮散し、害虫が知覚しうる範囲に限定されるため、開放的な場所で用いたり、揮散範囲が狭い（効力が弱い）ものを用いると、捕獲性を低下させてしまうことになり、その反面、誘引剤として揮散範囲が広い（効力が強い）ものを用いると、害虫を広範囲から呼び寄せてしまうことにもなるという二律背反の問題がった。また、フェロモン剤を、用いたものの場合、使用範囲が特定の害虫に限定され、広範囲の害虫には用いいとともに、設置場所に制約があることや広範囲から害虫を呼び寄せてしまうという問題があった。また、誘引剤及びフェロモン剤は、法律上農薬扱いのため、特定農薬の申請を必要とし、使用における制約があった。さらに、紫外線ランプを用いたものは、紫外線による誘引効果はあるが、ハウス・温室内で使用した場合、外部の害虫までも誘引して引き寄せることになるのであまり使われていないのが現状である。
【０００６】
本発明は、上述の問題を解決するためになされたものであり、害虫を捕獲する必要のある、例えば、ハウス・温室等において、害虫の捕獲性能（捕獲性）及び使い勝手に優れるとともに、害虫を広範囲から呼び寄せてしまうこともない害虫捕獲用部材を提供することを目的とする。
【課題を解決するための手段】
【０００７】
上記目的を達成するため、本発明者等は、昆虫の感覚（視覚）生理学を基礎に昆虫のバタ−ン認識に関して種々した研究、所定形状の紫外線反射層及び／又は紫外線吸収層を用いることによって害虫の誘引効果が抜群に向上することを見出し、本発明を完成させた。すなわち、本発明によって以下の害虫捕獲用部材が提供される。
【０００８】
［１］誘引手段と、捕獲手段と、前記誘引手段及び前記捕獲手段を保持する保持手段とを備え、前記誘引手段で誘引した害虫を前記捕獲手段で捕獲する害虫捕獲用部材であって、前記誘引手段が、前記保持手段上に配設された前記害虫に固有の誘引色を有する誘引色層、並びに前記誘引色層の表面の少なくとも一部を被覆するように配設された紫外線反射層及び／又は紫外線吸収層から構成されてなることを特徴とする害虫捕獲用部材。
【０００９】
［２］前記保持手段が、基材シートである前記［１］に記載の害虫捕獲用部材。
【００１０】
［３］前記基材シートが、長尺の巻物状である前記［２］に記載の害虫捕獲用部材。
【００１１】
［４］前記捕獲手段が、前記誘引手段の外部側の表面の少なくとも一部を被覆するように配設された透明粘着剤層である前記［１］〜［３］のいずれかに記載の害虫捕獲用部材。
【００１２】
［５］前記誘引手段を構成する前記紫外線反射層及び／又は紫外線吸収層の平面形状が、花弁形状である前記［１］〜［４］のいずれかに記載の害虫捕獲用部材。
【００１３】
［６］前記誘引手段を構成する前記紫外線反射層及び／又は紫外線吸収層の平面形状が、アステリック形状である前記［５］に記載の害虫捕獲用部材。
【００１４】
［７］前記誘引手段を構成する前記誘引色層が、黄色、青色又は桃色に着色されてなる前記［１］〜［６］のいずれかに記載の害虫捕獲用部材。
【００１５】
［８］前記誘引手段を構成する前記紫外線反射層が、酸化亜鉛、酸化カルシウム、酸化チタン、酸化鉛、蛍光顔料及びアルミニウム粉体からなる群から選ばれる少なくとも一種を含有してなる前記［１］〜［７］のいずれかに記載の害虫捕獲用部材。
【００１６】
［９］前記誘引手段を構成する前記紫外線吸収層が、サルチル酸系、ベンゾフエノン系及びベンゾトリアゾ−ル系からなる群から選ばれる少なくとも一種の紫外線吸収剤を含有してなる前記［１］〜［７］のいずれかに記載の害虫捕獲用部材。
【００１７】
［１０］前記保持手段を構成する前記基材シートが、ポリエステル、ポエチレン、ポリスチロ−ル及びポリウレタンからなる群から選ばれる少なくとも一種の合成樹脂、合成紙、紙、金属箔、又は不織布から構成されてなる前記［２］〜［９］のいずれかに記載の害虫捕獲用部材。
【００１８】
［１１］前記捕獲手段を構成する前記透明粘着剤層が、アクリル系、ゴム系及びシリコン系からなる群から選ばれる少なくとも一種の粘着剤を含有してなる前記［４］〜［１０］のいずれかに記載の害虫捕獲用部材。
【発明の効果】
【００１９】
本発明によって、害虫を捕獲する必要のある、例えば、ハウス・温室等において、害虫の捕獲性能（捕獲性）及び使い勝手に優れるとともに、害虫を広範囲から呼び寄せてしまうこともない害虫捕獲用部材が提供される。
【発明を実施するための最良の形態】
【００２０】
以下、本発明を実施するための最良の形態を図面を参照しつつ具体的に説明する。
【００２１】
図１は、本発明の害虫捕獲用部材の一の実施の形態を模式的に示す平面図であり、図２は、図１に示す害虫捕獲用部材の一の実施の形態のＡ−Ａ線における断面図である。
【００２２】
図１及び図２に示すように、本実施の形態の害虫捕獲用部材１０は、保持手段としての基材シート１と、基材シート１上に配設された誘引手段としての害虫に固有の誘引色を有する誘引色層２、及び誘引色層２の表面の少なくとも一部を被覆するように配設された紫外線反射層３ａ及び／又は紫外線吸収層３ｂと、捕獲手段としての誘引手段（誘引色層２及び紫外線反射層３ａ及び／又は紫外線吸収層３ｂ）の外部側の表面の少なくとも一部を被覆するように配設された透明粘着剤層４とを備え、誘引手段（誘引色層２及び紫外線反射層３ａ及び／又は紫外線吸収層３ｂ）で誘引した害虫を捕獲手段（透明粘着剤層４）で捕獲することを特徴とするものである。
【００２３】
なお、図２においては、基材シート１の片面に誘引手段（誘引色層２及び紫外線反射層及び／又は紫外線吸収層３）及び捕獲手段（透明粘着剤層４）を配設した場合を示すが、基材シート１の両面に配設してもよい。
【００２４】
以下、各構成要素について具体的に説明する。
【００２５】
（基材シート）
本実施の形態に用いられる基材シート１としては、後述する誘引手段（誘引色層２及び紫外線反射層３ａ及び／又は紫外線吸収層３ｂ）及び捕獲手段（透明粘着剤層４）を確実かつ円滑に保持することができるものであれば特に制限はないが、例えば、ポリエステル、ポエチレン、ポリスチロ−ル及びポリウレタンからなる群から選ばれる少なくとも一種の合成樹脂、合成紙、紙、金属箔、又は不織布から構成されてなるものを好適例として挙げることができる。
【００２６】
また、基材シート１は、作業性の観点から、長尺の巻物状であることが好ましい。長尺の巻物状から、任意の長さに適宜切断して用いることができる。
【００２７】
（誘引色層）
本実施の形態に用いられる誘引色層２としては、例えば、黄色、青色又は桃色に着色されてなるものを好適例として挙げることができる。黄色、青色又は桃色の誘引色は、マンセル表色値を用いた反射色で、黄色は、色相：４Ｙ、明度：７、彩度：１４、また、青色は、色相：３．０ＰＢ、明度：５．４、彩度：１０．６、また、桃色は、色相：５Ｒ、明度：６．５、彩度：８の範囲のものであることが特に好ましい。この場合、誘引色層２は、基材シ−ト１に黄色、青色又は桃色の顔料を印刷方式で塗膜層を形成してもよく、黄色、青色又は桃色の顔料を基材シ−ト１に練り込んで形成してもよい。
【００２８】
（紫外線反射層及び／又は紫外線吸収層）
昆虫の感覚生理学によると、昆虫は、人間の視覚における可視光の三原色と同様に、外部を紫外線、青色及び緑黄の三原色で視認している。このため植物の多くの花は昆虫を引き寄せるための紫外線を反射する模様を持っている。これらの模様（認識パタ−ン）は昆虫には視認されても、人には視認されない。また、キク類やユリ類の花は人には一様の黄色や白色としか視認されないが、蜜腺の周りには色が濃く見える斑点・筋（認識パタ−ン）を持ち、斑点は紫外線を吸収するので、昆虫の目には、目立って視認されている。これらの斑点・筋は蜜のありかを昆虫に教える道しるべの働きをする蜜標識と呼ばれている。昆虫はこの密標識を図形として捕らえていると推定される。植物を紫外線写真で撮影すると、新芽部分、茎の産毛部分、葉の導管部分、同化作用が活発な部分等は紫外線を反射して明るくなっている。昆虫はこれらの部分も図形として視認していると推定される。
【００２９】
本発明においては、このような昆虫の視覚生理や植物の生態を利用して、誘引手段として、上述の誘引色層２の上にさらに紫外線反射層３ａ及び／又は紫外線吸収層３ｂを配設することによって害虫の誘引性を高めている。
【００３０】
本実施の形態に用いられる紫外線反射層としては、例えば、酸化亜鉛、酸化カルシウム、酸化チタン、酸化鉛、蛍光顔料及びアルミニウム粉体からなる群から選ばれる少なくとも一種を含有してなるものを好適例として挙げることができる。
【００３１】
本実施の形態に用いられる紫外線吸収層としては、例えば、サルチル酸系、ベンゾフエノン系及びベンゾトリアゾ−ル系からなる群から選ばれる少なくとも一種の紫外線吸収剤を含有してなるものを好適例として挙げることができる。
【００３２】
なお、図１及び図２においては、誘引色層２の上に紫外線反射層３ａを配設した場合を示すが、紫外線反射層３ａの代わりに紫外線吸収層３ｂを配設してもよい。また、図３に示すように、誘引色層２の上に紫外線反射層３ａ及び紫外線吸収層３ｂを併設してもよい。
【００３３】
紫外線反射層３ａ及び／又は紫外線吸収層３ｂの形状（外形）は、害虫の誘引性を高めるために、例えば、植物の紫外線写真から一塊の図形として図形化したものを、誘引実験により誘引効果の高いものを選択して用いることが好ましい。中でも、花弁形状であることが好ましく、図４に示すように、アステリック形状であることがさらに好ましい。これは、昆虫が複眼で外界を視認しているため（対象物の画像をモザイク模様の状態で識別しているため）、紫外線反射光の細い線の集合体が害虫に鮮明に視認されることを利用している。なお、図４においては、紫外線反射層３ａの中心部の上にさらに紫外線吸収層３ｂを配設した場合を示している。
【００３４】
紫外線反射層３ａ及び／又は紫外線吸収層３ｂの誘引色層２への配設方法としては特に制限はなく、例えば、印刷方式、塗装方式、貼付け方式等から任意の方法を用いることができる。
【００３５】
紫外線反射層３ａの図形としての面積が誘引色層２の面積に対して占める割合は、２〜７０％が好ましく、５〜２０％がさらに好ましい。また、紫外線吸収層３ｂの図形としての面積が、誘引色層２に対して占める割合は、１〜３０％が好ましく、１〜１０％がさらに好ましい。さらに、紫外線反射層３ａと紫外線吸収層３ｂとを併用する場合は、０．５〜１０％が好ましく、０．８〜４％がさらに好ましい。
【００３６】
紫外線反射層３ａにおける紫外線の波長は、３６０〜３８０ｎｍであることが好ましく、反射率は５〜６０％であることが好ましく、１０〜３０％であることがさらに好ましい。また、紫外線吸収層３ｂにおける紫外線の波長は、誘引色層２が黄色の場合、３６０〜５８０ｎｍであることが好ましく、反射率は３０〜９０％であることが好ましく、６０〜８０％であることがさらに好ましい。また、誘引色層２が青色の場合、紫外線の波長は３６０〜４７０ｎｍであることが好ましく、反射率は３０〜９０％であることが好ましく、６０〜８０％であることがさらに好ましい。誘引色層２が桃色の場合、紫外線の波長は３６０〜４７０ｎｍであることが好ましく、反射率は３０〜９０％であることが好ましく、６０〜８０％であることがさらに好ましい。
【００３７】
（透明粘着剤層）
本実施の形態に用いられる透明粘着剤層４としては、特に制限はないが、アクリル系、ゴム系及びシリコン系からなる群から選ばれる少なくとも一種の粘着剤を含有してなるものを好適例として挙げることができる。なお、透明粘着剤層４は、誘引手段（誘引色層２及び紫外線反射層３ａ及び／又は紫外線吸収層３ｂ）の外部側の表面の全体を被覆したものであってもよく、少なくとも一部を被覆するものであってもよい。
【００３８】
透明粘着剤層４の配設方法としては、特に制限はないが、例えば、印刷方式、塗装方式、貼付け方式等から任意の方法を用いることができる。透明粘着剤層４の厚さは、例えば、１０〜８０μｍが好ましく、２５〜７０μｍがさらに好ましい。
【００３９】
作業者の皮膚や植物が透明粘着剤層４に直接付着するのを防止するため、害虫捕獲用部材１０の全体を害虫が入り込むことが可能な開口を有するネット（図示せず）によって包み込んでもよい。これは、作業者が肌を露出した夏季において特に有効である。このようなネットの材質としては、例えば、ポリエチレン樹脂、ポリプロピレン樹脂等が好ましい。また、透明、白色、黄色又は青色に着色されたものであって、ネットの目合が４〜５ｍｍ角以内（益虫がハチ類の場合には４ｍｍ角以内）が好ましい。このように構成することによって、害虫（例えば、シルバーリーフコナジラミ）のみを内部に侵入させて益虫（例えば、マルハナバチ）を侵入させないようにすることができる。また、誘引剤及び／又はフェロモン剤を配設したものとしてもよい。
【００４０】
また、吊り下げて設置することが可能な懸架手段（図示せず）を有してなることが、害虫捕獲用部材１０の使い勝手を向上させる上で好ましい。具体的には、吊り下げ用のフラップ及びフラップに形成された懸架用の孔部を有してなるものであることが好ましい。懸架用の孔部を形成する代わりに、両面テープ（図示せず）を用いて懸架するようにしてもよい。この場合、両面テープは伸縮性を有するものであることが好ましい。また、図１に示すように、吊り下げ孔５を設けてもよい。
【実施例】
【００４１】
以下、本発明を実施例によってさらに具体的に説明するが、本発明はこれらの実施例によって何ら限定されるものではない。
【００４２】
（実施例１）
ミルクカ−トン紙上に、誘引色層として黄色塗膜層を形成し、その黄色塗膜層上に、紫外線反射層として、黄色の蛍光塗料で、各種の形状（外形）のものを形成し、透明粘着剤層として、ポリブデン系粘着剤を厚さ７０μｍに塗布し、剥離紙を貼り合わせて、１０ｃｍ×２５ｃｍの害虫捕獲用部材を作製した。得られた害虫捕獲用部材について、シルバーリーフコナジラミの捕獲試験をトマト栽培ハウスにおいて実施した。具体的には２週間毎に、粘着シートを取り替えて、３回試験を行った。害虫コナジラミ類の捕獲数（匹）を表１に示す。なお、花弁形状は、線の太さ１．５ｍｍ×線の長さ７０ｍｍとした。
【００４３】
（実施例２〜５）
実施例１において、図形の種類を花弁形状から、表１に示すものに変えたこと以外は実施例１と同様にした。害虫コナジラミ類の捕獲数（匹）を表１に示す。
【００４４】
（比較例１〜２）
比較例１の場合は、実施例１において、紫外線反射層を設けることなく、黄色塗膜層（ミルクカ−トン紙の黄色）上にゴム系粘着剤を塗布したこと以外は実施例１と同様にした。また、比較例２の場合は、市販品の黄色捕虫シートをそのまま用いたこと以外は実施例１と同様にした。害虫コナジラミ類の捕獲数（匹）を表１に示す。
【００４５】
【表１】
2007300890.tif 000003
【００４６】
表１から、実施例１〜５は、比較例１〜２に比べて、誘引性に優れていることが分かる。実施例１〜５の中でも花弁の図形にした実施例１が、特に誘引性に優れていることが分かる。
【００４７】
（実施例６〜９）
紫外線反射層の種類を、実施例１で用いた黄色蛍光塗料から、表２に示すものに変えたこと以外は実施例１と同様にした。害虫コナジラミ類の捕獲数（匹）を表２に示す。なお、実施例６は、実施例１と実質的に構成は同じであるが、試験の日時、天候等の条件が異なり、試験結果も実施例１の場合とは異なることになるため、実施例１とは別の実施例の番号を付与した。
【００４８】
（比較例３〜４）
比較例３〜４は、実施例６と実施例１との関係と同様に、比較例１〜２と実質的に構成は同じであるが、試験の日時、天候等の条件が異なり、試験結果も比較例１〜２の場合とは異なることになるため、比較例１〜２とは別の実施例の番号を付与した。害虫コナジラミ類の捕獲数（匹）を表２に示す。
【００４９】
【表２】
2007300890.tif 000004
【００５０】
表２から、実施例６〜９が比較例３〜４に比べて、誘引性に優れていること、実施例６〜９の中でも黄色蛍光塗料を用いた実施例６が、特に誘引性に優れていることが分かる。
【００５１】
（実施例１０〜１２）
実施例１において、黄色蛍光塗料の花弁形状の寸法を変えたこと以外は実施例１と同様にした。害虫コナジラミ類の捕獲数（匹）を表３に示す。なお、実施例１２における線の太さ１．５ｍｍ×線の長さ７０ｍｍの場合は、実施例１の場合と実質的に同じ構成である。
【００５２】
（比較例５〜６）
比較例５〜６は、上述のように、比較例１〜２と実質的に構成は同じである。害虫コナジラミ類の捕獲数（匹）を表３に示す。
【００５３】
【表３】
2007300890.tif 000005
【００５４】
表３から、花弁形状の寸法に関しては、線の太さ１．０ｍｍ×線の長さ５ｃｍの場合が最も効果が顕著であることが分かる。
【００５５】
（実施例１３〜１４）
実施例１０（花弁形状の寸法は、線の太さ１．０ｍｍ×線の長さ５ｃｍの場合）において、図４に示すように、紫外線反射層３ａの線の交差点に紫外線吸収層３ｂからなる極細の線の集合体をさらに配設したこと以外は、実施例１０と同様にした。害虫コナジラミ類の捕獲数（匹）を表４に示す。
【００５６】
（比較例７）
比較例７は、上述のように、比較例２と実質的に構成は同じである。害虫コナジラミ類の捕獲数（匹）を表４に示す。
【００５７】
【表４】
2007300890.tif 000006
【００５８】
表４から、紫外線反射層に加えて紫外線吸収層を併設すると、紫外線反射層のみの場合よりもさらに誘引性が向上することが分かる。
【産業上の利用可能性】
【００５９】
本発明の害虫捕獲用部材は、害虫の発生を防止する必要のある、各種産業分野、例えば、ハウス・温室等を用いた施設園芸内の栽培農業で有効に用いられる。
【図面の簡単な説明】
【００６０】
【図１】本発明の害虫捕獲用部材の一の実施の形態を模式的に示す平面図である。
【図２】図１に示す害虫捕獲用部材の一の実施の形態のＡ−Ａ線における断面図である。
【図３】紫外線反射層に加えて紫外線吸収層を併設した場合を示す断面図である。
【図４】紫外線反射層に加えて紫外線吸収層を併設した場合で、紫外線反射層及び紫外線吸収層の外形がアステリック形状である場合を示す平面図である。
【符号の説明】
【００６１】
１  基材シート
２  誘引色層
３ａ  紫外線反射層
３ｂ  紫外線吸収層
４  透明粘着剤層
５  吊り下げ孔
１０  害虫捕獲用部材
【図１】
2007300890.tif 000007
【図２】
2007300890.tif 000008
【図３】
2007300890.tif 000009
【図４】
2007300890.tif 000010